(57)【要約】【課題】    トイレ清掃具の水切れを良くしブラシ容器の洗浄の手間を省く。【解決手段】  トイレ清掃具ホルダ２０は、便座Ｂ２に取り付けられる便座取付部２１と、該便座取付部２１より上方に突設された支持腕部２３と、該支持腕部２３の先端または側面に設けられたトイレ清掃具被係止部２４とを備え、トイレ清掃具１０の柄１２には、トイレ清掃具ホルダ２０のトイレ清掃具被係止部２４に係止される係止部１３ｂが設けられ、トイレ清掃具ホルダ２０の使用時には、便座取付部２１を便座Ｂ２に取り付けた後、トイレ清掃具１０の係止部１３ｂをトイレ清掃具被係止部２４に係止して、トイレ清掃具１０を便器Ｂ１内上方で保持することにより、トイレ清掃具１０にしみこんだ水を便器Ｂ１内に滴下させて水切りできる構成としている。【選択図】  図２
2007021142.tif 000002
【特許請求の範囲】
【請求項１】
柄の下端部に便器内清掃部を設けたトイレ清掃具と、洋式トイレの便座に取り付けられて前記トイレ清掃具を便器内上方に保持するトイレ清掃具ホルダとを備え、
前記トイレ清掃具ホルダは、便座に取り付けられる便座取付部と、該便座取付部より上方に突設された支持腕部と、該支持腕部の先端に設けられたトイレ清掃具被係止部とを備え、
前記トイレ清掃具の柄には、前記トイレ清掃具ホルダのトイレ清掃具被係止部に係止される係止部を設け、
前記トイレ清掃具ホルダの使用時には、前記便座取付部を便座に取り付けた後、トイレ清掃具の前記係止部を前記トイレ清掃具被係止部に係止して、トイレ清掃具を便器内上方で保持することにより、トイレ清掃具にしみこんだ水を便器内に滴下させて水きりできるトイレ清掃具ホルダを備えたトイレ清掃具。
【請求項２】
前記トイレ清掃具被係止部は、前記支持腕部の先端より上方に突設されると共に、便座に取り付けられた状態において便座内周縁よりも外側に位置するように形成され、トイレ清掃具の柄を前記トイレ清掃具被係止部に係止すると共に、該柄の下方位置を前記支持腕部の先端部で便座内方へ押し込み、該柄を斜めに保持することにより、トイレ清掃具の清掃部を便器内上方に位置させる請求項１に記載のトイレ清掃具ホルダを備えたトイレ清掃具。
【請求項３】
前記トイレ清掃具の柄には、上端に開口部を設けるとともに、該開口部から上下方向に連続する中空部を設け、
前記トイレ清掃具の係止部は、前記中空部の周壁より内側に突設したリップ部よりなり、また、前記トイレ清掃具ホルダに設けられる前記トイレ清掃具被係止部は、前記支持腕部の先端に形成された、前記リップ部の内径よりも大径の軸玉部よりなり、
前記中空部の周壁には前記開口部から連続するスリットを前記リップ部の下方位置まで上下方向に設け、
前記トイレ清掃具ホルダは、前記軸玉部を介して、トイレ清掃具の前記中空部内に可動連結されると共に、トイレ清掃具ホルダの不使用時には、トイレ清掃具の前記中空部内に、前記軸玉部を含む前記支持腕部の少なくとも一部が上下逆様に挿入収納される一方、
前記トイレ清掃具ホルダの使用時には、前記軸玉部が前記トイレ清掃具の柄の前記リップ部に係止される位置まで該トイレ清掃具ホルダを引き上げた後、支持腕部を前記スリットに嵌めこみながら起こした状態で前記便座取付部を便座に取り付けることにより、前記トイレ清掃具を便器内上方に保持できる請求項１に記載のトイレ清掃具ホルダを備えたトイレ清掃具。
【請求項４】
前記支持腕部は、便座に取り付けられた状態において、前記トイレ清掃具被係止部がトラップ部上方に位置するように形成され、トイレ清掃具を便器内上方で吊下げ保持する構成としている請求項１または請求項３に記載のトイレ清掃具ホルダを備えたトイレ清掃具。
【請求項５】
前記支持腕部は、便座に取り付けられた状態において、前記トイレ清掃具被係止部が便座内周縁よりも外側に位置するように形成され、トイレ清掃具の柄の前記係止部を前記トイレ清掃具被係止部に係止すると共に、該係止部よりも下方位置の柄を便座内周縁で支持させ、該柄を斜めに保持することにより、トイレ清掃具の清掃部を便器内上方に位置させる請求項１または請求項３に記載のトイレ清掃具ホルダを備えたトイレ清掃具。
【請求項６】
柄の下端部に便器内清掃部を備えると共に、該柄の所要位置よりトイレ清掃具ホルダ部を突設したトイレ清掃具であって、
前記トイレ清掃具ホルダ部は、洋式トイレの便座に取り付けられる便座取付部と、該便座取付部より上方に突設された支持腕部よりなり、該支持腕部は、その先端が前記トイレ清掃具の柄の所要位置に結合され、かつ、便座に取り付けられた状態において、該支持腕部とトイレ清掃具の柄との結合部が便座内周縁よりも外側に位置するように形成され、
前記便座取付部を便座に取り付けたときに、トイレ清掃具の柄の下方位置が便座内周縁に支持され、該柄が斜めに保持されることにより、トイレ清掃具の清掃部を便器内底面より遊離させて上方に位置させ、トイレ清掃具にしみこんだ水を便器内に滴下させて水きりできるトイレ清掃具ホルダを備えたトイレ清掃具。
【発明の詳細な説明】
【技術分野】
【０００１】  本発明は、トイレ清掃具ホルダを備えたトイレ清掃具に関し、特に、便器洗浄直後のトイレ清掃具の水切り方法を改良するものに関する。
【背景技術】
【０００２】  従来のトイレ清掃具は、柄の先端にブラシ等の清掃部が取り付けられた単純な構造のものであり、このようなトイレ清掃具で便器内部を洗浄した後に、ブラシ部分がまだ濡れているからといってトイレ清掃具を便器内に放置すると、ブラシが便器内面に接した状態となり渇きが悪い。また、誤ってトイレ清掃具をトラップ部に落としてしまうと、ブラシ部分を再度濡らす結果となる。【０００３】  この問題に関し、トイレ清掃具収納器に工夫を加えてトイレ清掃具の水切れを改善しようとする様々な提案がなされている。例えば、特開２０００−２７１０４１号では、図２０に示すように、収納器１のブラシ受け皿２に複数の通水孔３を設けると共に、ブラシ受け皿２の下部に汚水用受け皿４を設け、洗浄後の濡れたトイレ清掃具を前記収納器１に収納することにより、ブラシから滴下する汚水を前記ブラシ受け皿２に溜めずに前記通水孔３を通じて汚水用受け皿４に溜め、まとめて外部に排出できるようにしている。【０００４】  また、特開２０００−０８３７３８号では、図２１に示すように、ブラシ７の上部の柄８に鍔部９を形成し、ブラシ収納時に収納器本体５の上部開口部５ａからブラシ７を垂直に挿入して前記鍔部９を前記開口部５ａの周縁に係止し、ブラシ７を収納器本体５の内壁の何処にも触れない状態で懸吊すると共に、ブラシ７から滴下した汚水は、収納器本体５の下部に着脱自在に嵌合された略半円形状の底部６を取り外して、溜まった汚水をまとめて排出できるようにしている。【０００５】
【特許文献１】特開２０００−２７１０４１号公報
【特許文献２】特開２０００−０８３７３８号公報
【発明の開示】
【発明が解決しようとする課題】
【０００６】  前記いずれの従来例も、トイレ清掃具が自ら滴下した汚水に浸からないように水切れをよくすることはできるが、滴下した汚水は収納器１、５の内部に溜まる構造であるため、トイレ内の湿気やカビの原因となるうえ、溜まった汚水をすぐに捨てても、汚水が付着した容器を洗浄するという不快な手間が必要となる。【０００７】  本発明は前記課題に鑑みてなされたもので、便器洗浄後等の濡れたトイレ清掃具の水切れを良くすると共に、トイレ清掃具から滴下した汚水の処理作業を要しないトイレ清掃具ホルダを備えたトイレ清掃具の提供を課題としている。
【課題を解決するための手段】
【０００８】  前記課題を解決するために、本発明は、柄の下端部に便器内清掃部を設けたトイレ清掃具と、洋式トイレの便座に取り付けられて前記トイレ清掃具を便器内上方に保持するトイレ清掃具ホルダとを備え、
前記トイレ清掃具ホルダは、便座に取り付けられる便座取付部と、該便座取付部より上方に突設された支持腕部と、該支持腕部の先端に設けられたトイレ清掃具被係止部とを備え、
前記トイレ清掃具の柄には、前記トイレ清掃具ホルダのトイレ清掃具被係止部に係止される係止部を設け、
前記トイレ清掃具ホルダの使用時には、前記便座取付部を便座に取り付けた後、トイレ清掃具の前記係止部を前記トイレ清掃具被係止部に係止して、トイレ清掃具を便器内上方で保持することにより、トイレ清掃具にしみこんだ水を便器内に滴下させて水きりできるトイレ清掃具ホルダを備えたトイレ清掃具を提供している。【０００９】  前記構成のトイレ清掃具は、便器洗浄後などの濡れたトイレ清掃具を便器底面やトラップ部の水面から遊離した上方に保持して、ブラシやスポンジなどの清掃部から滴下する汚水が便器内に直接に落ちるよう保持できるため、トイレ清掃具の水切れを大幅に向上させることができる。また、滴下しなくなった、あるいは完全に乾燥したトイレ清掃具を容器等に収納できるため、容器内に汚水が溜まらず、湿気やカビを防止できるとともに、溜まった汚水の排出および容器の洗浄などの不快な家事が不要となる。【００１０】  前記トイレ清掃具の係止部は、フック形状やリング形状として、柄の上端あるいは側面より突設するほか、大径の鍔形状として柄に周設してもよく、あるいは、柄の側面に凹部を形成し、該凹部に張設した係止棒を前記係止部としてもよい。
また、トイレ清掃具ホルダの前記トイレ清掃具被係止部も、前記係止部に対応させて、リング形状やフック形状としてもよい。【００１１】  前記トイレ清掃具被係止部は、前記支持腕部の先端より上方に突設されると共に、便座に取り付けられた状態において便座内周縁よりも外側に位置するように形成され、トイレ清掃具の柄を前記トイレ清掃具被係止部に係止すると共に、該柄の下方位置を前記支持腕部の先端部で便座内方へ押し込み、該柄を斜めに保持することにより、トイレ清掃具の清掃部を便器内上方に位置させる構成としてもよい。
この場合、支持腕部を比較的短く設計でき、トイレ清掃具ホルダを小型化できると共に、製造コストを抑えることもできる。【００１２】  前記トイレ清掃具の柄には、上端に開口部を設けるとともに、該開口部から上下方向に連続する中空部を設け、
前記トイレ清掃具の係止部は、前記中空部の周壁より内側に突設したリップ部よりなり、また、前記トイレ清掃具ホルダに設けられる前記トイレ清掃具被係止部は、前記支持腕部の先端に形成された、前記リップ部の内径よりも大径の軸玉部よりなり、
前記中空部の周壁には前記開口部から連続するスリットを前記リップ部の下方位置まで上下方向に設け、
前記トイレ清掃具ホルダは、前記軸玉部を介して、トイレ清掃具の前記中空部内に可動連結されると共に、トイレ清掃具ホルダの不使用時には、トイレ清掃具の前記中空部内に、前記軸玉部を含む前記支持腕部の少なくとも一部が上下逆様に挿入収納される一方、
前記トイレ清掃具ホルダの使用時には、前記軸玉部が前記トイレ清掃具の柄の前記リップ部に係止される位置まで該トイレ清掃具ホルダを引き上げた後、支持腕部を前記スリットに嵌めこみながら起こした状態で前記便座取付部を便座に取り付けることにより、前記トイレ清掃具を便器内上方に保持できる構成とすることが好ましい。【００１３】  この場合、トイレ清掃具ホルダをトイレ清掃具の柄に内臓できるため、トイレ清掃具ホルダ不使用時には、一層すっきりと、見た目にもシンプルにトイレ清掃具ホルダを収納することができるうえ、トイレ掃除時にトイレ清掃具ホルダが邪魔にならず、トイレ清掃具ホルダに汚水がかかることも防止できる。【００１４】  前記トイレ清掃具の柄に突設される前記リップ部は、前記開口部の周縁に形成してもよい。
一方、該リップ部を前記開口部よりも下方位置に形成すると、トイレ清掃具ホルダを使用するときに、トイレ清掃具を便器内上方の比較的高い位置に懸吊することができると共に、トイレ清掃具ホルダの支持腕部の長さを比較的短く設定することもできる。【００１５】  なお、前記トイレ清掃具の柄の前記中空部は、断面円形でも断面矩形でもどちらでもよい。【００１６】  前記支持腕部は、便座に取り付けられた状態において、前記トイレ清掃具被係止部がトラップ部上方に位置するように形成され、トイレ清掃具を便器内上方で吊下げ保持する。【００１７】  あるいは、前記支持腕部は、便座に取り付けられた状態において、前記トイレ清掃具被係止部が便座内周縁よりも外側に位置するように形成され、トイレ清掃具の柄の上方位置を前記トイレ清掃具被係止部に係止すると共に、該係止部よりも下方位置の柄を便座内周縁で支持させ、該柄を斜めに保持することにより、トイレ清掃具の清掃部を便器内上方に位置させてもよい。また、前記便座取付部は、便座の外周縁に、または便座の外周縁から裏面にかけて引っ掛ける係止部で構成してもよい。
この場合、支持腕部を短く設計することができるため、収納場所をとらず、かつ、製造コストを抑えることができる。また、便座取付部の構造をシンプル化でき、製造コストを一層抑えることができる。【００１８】  さらに、本発明は、柄の下端部に便器内清掃部を備えると共に、該柄の所要位置よりトイレ清掃具ホルダ部を突設したトイレ清掃具であって、
前記トイレ清掃具ホルダ部は、洋式トイレの便座に取り付けられる便座取付部と、該便座取付部より上方に突設された支持腕部よりなり、該支持腕部は、その先端が前記トイレ清掃具の柄の所要位置に連結され、かつ、便座に取り付けられた状態において、該支持腕部とトイレ清掃具の柄との連結部が便座内周縁よりも外側に位置するように形成され、
前記便座取付部を便座に取り付けたときに、トイレ清掃具の柄の下方位置が便座内周縁に支持され、該柄が斜めに保持されることにより、トイレ清掃具の清掃部を便器内底面より遊離させて上方に位置させ、トイレ清掃具にしみこんだ水を便器内に滴下させて水きりできるトイレ清掃具ホルダを備えたトイレ清掃具も提供している。【００１９】  このトイレ清掃具は、トイレ清掃具ホルダと連続一体化しているため、トイレ清掃具ホルダを不使用時に紛失する恐れや、収納用の特別なスペースを設ける必要がない。また、前記トイレ清掃具ホルダ部の支持腕部を短く設計できるため、トイレ清掃時にもトイレ清掃具ホルダ部が邪魔にならず、かつ、構造も単純化でき、製造コストも抑えることができる。【００２０】  本発明における前記トイレ清掃具ホルダの便座取付部は、一対の挟持部で便座周縁を表裏両面から挟持するクリップ構造が好ましく、可撓性を有する挟持部で便座を挟持するもののほか、開閉自在なバネクリップ構造で便座を挟持するものでもよい。いずれの場合も、厚さの異なる多様な便座にも対応して取り付けることができる。なお、前記一対の挟持部の便座と接する面には、弾性を有する緩衝部材を取り付けておくことにより、トイレ清掃具ホルダの取り外しの際に便座取付部によって便座に傷をつけることを防止できる。
なお、前記各挟持部は、棒形状でも板片形状でもよく、また矩形状、コの字形状、あるいはＥ字形状などのいずれでもよい。【００２１】  本発明における前記便座取付部は、前記支持腕部と一体不可分な構造としても、支持腕部から分離可能な構造としてもよい。また、便座取付部は、便座の内周縁、あるいは外周縁のいずれに取り付ける構成でもよい。
【発明の効果】
【００２２】  以上の説明より明らかなように、本発明によれば、トイレ洗浄後等の濡れたトイレ清掃具を便器内上方に保持することができる。したがって、清掃具から滴下する水を便器内に直接落とすことができ、十分に乾燥させてから清掃具を容器等に収納できるため、容器内に水がたまることがなく、カビや湿気を防止できるうえ、溜まった水を排出して容器を洗浄する等の不快な手間も不要となる。【００２３】  また、トイレ清掃具ホルダをトイレ清掃具の柄の内部に収納する構造とすることにより、トイレ清掃具ホルダの不使用時には、該トイレ清掃具ホルダをトイレ清掃具と一体化させて収納でき、トイレ清掃具ホルダのための特別な収納場所を要さず、見た目にもシンプルに美しく収納できる。【００２４】  さらに、トイレ清掃具の柄にトイレ清掃具ホルダ部を一体に連結することにより、トイレ清掃具ホルダの紛失を防止できるうえ、構造を単純化でき、製造コストを抑えることができる。
【発明を実施するための最良の形態】
【００２５】  本発明の実施形態を図面を参照して説明する。【００２６】  図１乃至図３は、本発明の第一実施形態に係るトイレ清掃具ホルダ２０を備えたトイレ清掃具１０を示している。【００２７】  前記トイレ清掃具１０は、図１に示すように、柄１２と、該柄１２の下端部に取り付けられた便器内洗浄用のブラシ部１１とを備え、該柄１２の上部側面より係止突起１３ａを、また、該柄１２の中部側面より、下方へ屈曲させたフック形状の係止部１３ｂを、それぞれ突設している。【００２８】  前記トイレ清掃具ホルダ２０は、樹脂で一体成形してなり、便座Ｂ２の側部外周縁を上下両面から着脱自在に挟持する便座取付部２１と、該便座取付部２１から便器Ｂ１内上方まで延在する支持腕部２４と、該支持腕部２３の先端より水平に突設したトイレ清掃具被係止部２３とからなる。該トイレ清掃具被係止部２４は、上下方向に孔２４ａを貫通させたリング形状よりなり、該孔２４ａの内径は、前記トイレ清掃具１０の柄１２の外径および係止部１３ｂの外径のいずれよりも大寸としている。【００２９】  前記便座取付部２１はクリップ構造よりなり、可撓性を備えた略コの字形状の一対の挟持片２１ａ、２１ｂを、連結部２１ｃの上下両端から同一方向に水平に突設して断面コの字形状に形成している。上挟持片２１ａの下面側と、下挟持片２１ｂの上面側には、それぞれ緩衝ゴム（図示せず）を粘着剤で固着している。【００３０】  前記支持腕部２３は、前記便座取付部２１の上挟持片２１ａより上方に立設した断面円形の棒形状とすると共に、下部から上部に向かって、前記便座取付部２１の挟持片２１ａ、２１ｂの突出方向と同一方向に湾曲し、このトイレ清掃具ホルダ２０を便座Ｂ２に取り付けた際に、前記トイレ清掃具被係止部２４が便器Ｂ１内のトラップ部Ｔの上方に位置するように形成されている。【００３１】  前記構成のトイレ清掃具ホルダ２０を備えたトイレ清掃具１０は、図２に示すように、まず、便座Ｂ２の側部外周縁より前記便座取付部２１の前記上下挟持片２１ａ、２ｂを嵌め込んでトイレ清掃具ホルダ２０を便座Ｂ２に固定し、次に、前記トイレ清掃具ホルダ被係止部２４の孔２４ａに、トイレ清掃具１０の前記係止部１３ｂを上から挿入して係止させ、ブラシ部１１をトラップ部Ｔの上方位置に懸吊し保持する。【００３２】  これにより、トイレ洗浄後などの濡れたトイレ清掃具１０を、トイレ清掃具容器等に収納する前に、便器Ｂ１の上方に吊り下げて水切りすることができるため、水切りが効果的であるとともに、滴下した汚水を便器内に直接に落とすことができるため、後始末の手間がかからない。また、トイレ清掃具ホルダ２０を使用しないときは、前記便座取付部１２を水平に引っ張って便座Ｂ２から容易に外すことができ、かつ、図３に示すように、容器等に立てて収納されたトイレ清掃具１０の柄１２に、その上端から、トイレ清掃具ホルダ２０のトイレ清掃具被係止部２４を外嵌挿入して前記係止突起１３ａで係止させることにより、トイレ清掃具ホルダ２０をトイレ清掃具１０の柄１２に引っ掛けて収納することができる。
さらにまた、トイレ清掃具ホルダ２０の前記便座取付部２１の挟持片２１ａ、２１ｂが可撓性を備えることにより、便座Ｂ２の厚みの多少の多様性にも対応することが出来るうえ、便座Ｂ２に装着したときに圧接気味に便座Ｂ２を挟持して安定感にも優れる。【００３３】  図４および図５は前記第一実施形態の変形例１を示している。トイレ清掃具１０の柄１２を短く設計し、該柄１２の上端よりリング状の係止部１４を垂直上方に突設し、一方のトイレ清掃具ホルダ２０には、支持腕部２３の先端より、上向きフック形状のトイレ清掃具被係止部２５を突設し、該トイレ清掃具被係止部２５にトイレ清掃具１０の係止部１４を係止して便器Ｂ１内上方にトイレ清掃具１０を懸吊保持する構成としている。また、トイレ清掃具ホルダ２０を便座Ｂ２に固定する便座取付部２２をバネクリップ構造としている。【００３４】  バネクリップ構造の前記便座取付部２２は、上下一対の挟持片２２ａ、２２ｂを、互いの回転軸受部２２ｃ、２２ｄに軸２２ｅを通して蝶着してなり、該軸２２ｅの外周にバネ２２ｆを取り付けて上下挟持片２２ａ、２２ｂを常に閉鎖方向に付勢している。上挟持片２２ａは、前記支持腕部２３の下部より連続一体に水平方向に突設している。また、前記挟持片２２ａ、２２ｂは、互いに相対する面にそれぞれ緩衝ゴム（図示せず）を固着している。【００３５】  このトイレ清掃具ホルダ２０は、バネクリップ構造の前記便座取付部２２で便座Ｂ２を挟持して取り付けられるため、便座Ｂ２の多様な厚みにも柔軟に応じることができるうえ、該便座取付部２２が前記バネ２２ｆにより閉鎖方向に付勢されているため、便座Ｂ２に取り付けられたトイレ清掃具ホルダ２０の安定感も高まる。【００３６】  図６は前記第一実施形態の変形例２を示している。詳しくは、トイレ清掃具１０の柄１２の側部に溝状凹部１５を上下方向に形成し、該溝状凹部１５の内側には、両側壁１５ａ、１５ｂ間に１本の棒からなる係止部１６を橋設している。一方のトイレ清掃具ホルダ２０には、前記変形例１と同様に、上向きフック形状の被係止部２５を突設し、前記棒状の係止部１６を該被係止部２５に引っ掛けることにより、トイレ清掃具１０を便器Ｂ１内上方に懸吊状態で保持することができる。【００３７】  図７および図８は本発明の第二実施形態に係る、トイレ清掃具ホルダ４０を備えたトイレ清掃具３０を示している。【００３８】  前記トイレ清掃具３０は、図７に示すように、柄３２と、該柄３２の下端部に取り付けられた便器内洗浄用のブラシ部３１とを備え、該柄３２の外周に、円環鍔状の係止部３３を突設している。【００３９】  前記トイレ清掃具ホルダ４０は、樹脂で一体成形してなり、便座Ｂ２の側部外周縁を上下両面から着脱自在に挟持する便座取付部４１と、該便座取付部４１より上方へ突設した支持腕部４２と、該支持腕部４２の先端より上方に突設したトイレ清掃具被係止部４３とからなる。該トイレ清掃具被係止部４３は、略Ｃ字のフック形状よりなる。【００４０】  前記便座取付部４１はバネなしクリップ構造よりなり、前記第一実施形態の便座取付部２１と同一構造としている。即ち、略コの字形状の一対の挟持片４１ａ、４１ｂを、連結部４１ｃの上下両端から同一方向に水平��突設して断面コの字形状に形成している。【００４１】  前記支持腕部４２は、前記便座取付部４１の上挟持片４１ａより上方に立設した断面円形の棒形状とすると共に、便座Ｂ２に取りつけられた状態において、前記被係止部４３が便座Ｂ２の内周縁Ｂ２ａよりも外側に位置するように、略垂直上方に立設されている。【００４２】  前記構成のトイレ清掃具ホルダ４０を備えたトイレ清掃具３０は、まず、図８（Ａ）に示すように、便座取付部４１を便座Ｂ２の側部外周縁から差し込んで固定し、その状態で、前記被係止部４３のブラシ柄挿入口４３ａからトイレ清掃具３０の柄３２を挿入して、前記係止部３３を被係止部４３に係止させる。このとき、図８（Ｂ）に示すように、トイレ清掃具３０の柄３２の係止部３３より下方位置が、前記支持腕部４２の先端部４２ａに当たり、便器Ｂ１の内方へと押し込まれることにより、トイレ清掃具３０の柄３２が斜めに保持される。これにより、ブラシ部３１を下げ過ぎることなく、便器Ｂ１の底面およびトラップ部Ｔの水面から遊離した上方に保持して水きりすることができる。【００４３】  図９は前記第二実施形態の変形例１を示し、支持腕部４２の先端にＵ字状の被係止部４４を突設している。この被係止部４４は、一対の被係止棒４４ａ、４４ｂを上方に、かつ間隔をあけて平行に突設し、この一対の被係止棒４４ａ、４４ｂの自由端側をブラシ柄挿入口４４ｃとすると共に、該被係止棒４４ａ、４４ｂの先端に抜け止め突起４４ｄを外側に突設し、トイレ清掃具３０の前記係止部３３を被係止棒４４ａ、４４ｂから抜け止めする構成としている。【００４４】  図１０は本発明の第三実施形態に係る、トイレ清掃具ホルダ４０’を備えたトイレ清掃具３０を示し、トイレ清掃具３０の柄３２を斜めに保持するために、前記支持腕部４２より突設した支持突起４５で該柄３２を便器Ｂ１内方へ押し込む構造としており、その他の構造は前記第二実施形態と同一構成としている。【００４５】  詳しくは、前記支持突起４５は、前記支持腕部４２の、前記被係止部４３よりも下方位置より突設され、トイレ清掃具ホルダ４０’が便座Ｂ２に取り付けられた状態において、便器Ｂ１内方に向かって突出すると共に、トイレ清掃具３０の柄３２を便器Ｂ１内方に押し込むことができる長さに形成されている。該支持突起４５の先端には、トイレ清掃具３０の柄３２に嵌合する凹部４５ａが設けられている。【００４６】  図１１および図１２は本発明の第四実施形態に係る、短いトイレ清掃具ホルダ６０を備えたトイレ清掃具５０を示している。【００４７】  前記トイレ清掃具５０は、図１１に示すように、柄５２と、該柄５２の下端部に取り付けられた便器内洗浄用のブラシ部５１とを備え、該柄５２の外周には、円環鍔状の係止部５３を突設している。【００４８】  前記トイレ清掃具ホルダ６０は樹脂で一体成形してなり、洋式トイレの便座Ｂ２の外周縁に着脱自在に取り付けられる便座取付部６１と、該便座取付部６１より立設された支持腕部６２と、該支持腕部６２の先端より突設された被係止部６３とからなる。【００４９】  前記便座取付部６１は、便座Ｂ２の外周縁Ｂ２ｂから裏面にかけて引っ掛けられる係止部６１ａよりなる。【００５０】  前記支持腕部６２は、前記便座取付部６１より上方に立設した棒形状よりなる。この支持腕部６２の先端に形成された前記被係止部６３は、一対の被係止棒６３ａ、６３ｂを上方に、かつ間隔をあけて平行に突設させた略Ｕ字状よりなり、この一対の被係止棒６３ａ、６３ｂの自由端側をブラシ柄挿入口６３ｃとすると共に、該被係止棒６３ａ、６３ｂの先端に抜け止め突起６３ｄを外側に突設し、トイレ清掃具５０の前記係止部５３を被係止棒６３ａ、６３ｂから抜け止めする構成としている。【００５１】  前記支持腕部６２は、図１２（Ｂ）に示すように、便座Ｂ２に取りつけられた状態において、前記被係止部６３が便座Ｂ２の内周縁Ｂ２ａよりも外側に位置するように、略垂直上方に立設されるとともに、その長さは、被係止部６３にトイレ清掃具５０の柄５２を保持させたときに、該柄５２が便座Ｂ２の内周縁Ｂ２ａで支持され、かつ、トイレ清掃具５０のブラシ部５１が便器Ｂ１内の底面や水面から遊離して上方で保持されるように設定している。【００５２】  前記トイレ清掃具ホルダ６０を使用するときは、まず、図１２（Ａ）（Ｂ）に示すように、便座取付部６１を、便座Ｂ２の外周縁Ｂ２ｂから裏面にかけて引っ掛け、便器Ｂ１の上縁と便座Ｂ２との間に係止部６１ａを挟みこみ、この状態で、前記被係止部６３のブラシ柄挿入口６３ｃからトイレ清掃具５０の柄５２を挿入して、係止棒６３ａ、６３ｂに前記係止部５３を係止させる。これにより、トイレ清掃具５０は、柄５２より突設された係止部５３が、トイレ清掃具ホルダ６０の被係止部６３の係止棒６３ａ、６３ｂと抜け止め突起６３ｄに拔け止めされることによりトイレ清掃具ホルダ６０に係止され、かつ、柄５２が便座Ｂ２の内周縁Ｂ２ａに下支えされて斜めに保持されるため、ブラシ部５１を下げ過ぎることなく、便器Ｂ１の底面およびトラップ部Ｔの水面から遊離した上方に保持することができる。【００５３】  本実施形態においても、トイレ清掃後などの濡れたトイレ清掃具５０を効果的に水きりできるうえ、トイレ清掃具ホルダ６０の支持腕部６２を短く設計できるため、該ホルダ６０の不使用時に収納スペースをとらないうえ、製造コストも抑えることができる。【００５４】  図１３は、前記第四実施形態の変形例１を示し、支持腕部６２の先端に、略Ｃ字のフック状の被係止部６４を上方に突設し、該被係止部６４をトイレ清掃具５０の柄５２の外周に引っ掛けるとともに、該柄５２に突設された鍔状の前記係止部５３を被係止部６４に係止させる構成としている。【００５５】  図１４は、前記第四実施形態の変形例２を示し、トイレ清掃具ホルダ６０の支持腕部６２の先端よりリング状の被係止部６５を上方に突設し、一方のトイレ清掃具５０には、柄５２の上部側面より上向きフック状の係止部５４を突設し、該係止部５４を、前記リング状の被係止部６５の中央に貫通された孔６５ａに通して引っ掛ける構成としている。【００５６】  図１５および図１６は本発明の第五実施形態を示し、トイレ清掃具ホルダ部７３を一体不可分に備えたトイレ清掃具７０を示している。【００５７】  即ち、前記トイレ清掃具７０は、柄７２と、該柄７２の下端部に取り付けられた便器内洗浄用のブラシ部７１とを備えると共に、該柄７２の側面よりトイレ���掃具ホルダ部７３を斜め下方に突設している。【００５８】  前記トイレ清掃具ホルダ部７３は、便座Ｂ２に取り付けられる便座取付部７４と、便座取付部７４より上方に突設された支持腕部７５とで構成され、該支持腕部７５の先端が前記トイレ清掃具７０の柄７２の所要位置に結合されていると共に、便座Ｂ２に取り付けられた状態において、図１６に示すように、該支持腕部７５とトイレ清掃具７０の柄７２との結合部７６が、便座Ｂ２の内周縁Ｂ２ａよりも外側に位置するように形成されている。【００５９】  前記便座取付部７４は、便座Ｂ２に外周縁Ｂ２ｂから裏面にかけて係止されるフック状の係止部７４ａからなる。本実施形態では、便座Ｂ２の手前部（正面側）の外周縁Ｂ２ｂに前記係止部７４ａを係止している。この係止部７４ａで便座Ｂ２に係止保持されたトイレ清掃具７０の柄７２は、便座Ｂ２の内周縁Ｂ２ａにより下支えされて斜めに保持され、ブラシ部７１も便器Ｂ１内の底面や水面から遊離した上方に保持される。【００６０】  本実施形態では、トイレ清掃具ホルダ部７３を予め、トイレ清掃具７０の柄７２に対して最適な位置に最適な角度で結合させておくことができ、かつ、一体不可分であるためトイレ清掃具ホルダを紛失する虞もない。また、トイレ清掃具ホルダ部７３の支持腕部７５は短く設計できるため、清掃時等にも邪魔にならない。【００６１】  図１７乃至図１９は本発明の第六実施形態に係る、トイレ清掃具ホルダ９０を内臓したトイレ清掃具８０を示している。【００６２】  前記トイレ清掃具８０は、図１７（Ａ）に示すように、柄８２と、該柄８２の下端部に設けられた便器内洗浄用のブラシ部８１と、該柄８２の内部に設けられた中空部８３内に上下摺動可能に収納されたトイレ清掃具ホルダ９０で構成される。【００６３】  前記トイレ清掃具８０の柄８２はプラスチック製の管状体よりなり、図１８（Ａ）にも示すように、内部に円筒形状の前記中空部８３を形成し、上端には、この中空部８３と連続する開口部８４を設けている。前記開口部８４は、図１９（Ｃ）にも示すように、前記中空部８３の内径よりも小径となるように周縁にリップ部８５を形成し、前記柄８２の周壁８６には、前記リップ部８５から切り込んで該開口部８４と連続するスリット８７を、柄８２の長手方向に形成している。【００６４】  前記トイレ清掃具ホルダ９０は樹脂で一体成形してなり、便座Ｂ２の側部外周縁を表裏両面から着脱自在に挟持する便座取付部９１と、該便座取付部９１から便器Ｂ１内の上方まで直線状に延在する支持腕部９２と、該支持腕部９２の先端に形成した球状の軸玉部９３とからなる。【００６５】  前記便座取付部９１は、略コ字形状の一対の挟持片９１ａ、９１ｂを、連結部９１ｃの上下両端から断面コの字形状となるように同一方向に水平に突設して形成している。上挟持片９１ａの下面側と、下挟持片９１ｂの上面側には、それぞれ緩衝ゴム（図示せず）を固着している。【００６６】  前記支持腕部９２は、前記便座取付部９１より立設する断面円形の棒形状よりなると共に、下部から上方に向かって、前記便座取付部９１の挟持片９１ａ、９１ｂの突出方向と同一方向に傾斜して斜め上方に延在している。該支持腕部９２の外径は、前記リップ部���５の最大内幅ｗ１および前記スリット８７の最小幅ｗ２のいずれよりも小寸となるように設定している。また、該支持腕部９２の先端に形成した軸玉部９３の外径Ｄ１は、前記柄８２の中空部８３の内径より小寸に、前記リップ部８５の最大内幅ｗ１および前記スリット８７の最大幅ｗ３より大寸に設定している。【００６７】  前記構成のトイレ清掃具８０は、便器洗浄時など、前記トイレ清掃具ホルダ９０を使用しないときには、図１７（Ａ）および図１８（Ａ）に示すように、前記トイレ清掃具ホルダ９０を上下逆様にして、前記軸玉部９３と前記支持腕部９２とを前記柄８２の開口部８４から中空部８３に挿入して収納することができ、このとき、該柄８２の開口部８４からはトイレ清掃具ホルダ９０の前記便座取付部９１が突出した状態となる。
一方、トイレ清掃具ホルダ９０の使用時には、図１７（Ｂ）および図１８（Ｂ）に示すように、開口部８４から突出した前記便座取付部９１を把持して、前記軸玉部９３が前記リップ部８５に係止される位置まで上方へ引っ張りあげる。これにより、開口部８４からは支持腕部９２が逆さまに引き出され、この支持腕部９２を、図１９（Ｂ）に示すように前記スリット８７に嵌めこみながら起こした状態で、図１９（Ａ）に示すように、便座取付部９１を便座Ｂ２の側部外周縁に取り付ける。【００６８】  このように、前記トイレ清掃具８０は、トイレ清掃具ホルダ９０を使用しないときに、柄８２の中空部８３にその大部分を挿入収納することができるため、収納場所をとらず、見た目にも美しく収納することができるうえ、トイレ清掃中にトイレ清掃具ホルダ７０に汚水がかかることも防止できる。なお、便座取付部９１は、支持腕部９２から着脱自在な構成としてもよい。【００６９】  なお、本発明は前記実施形態に限定するものではない。特に、トイレ清掃具ホルダ本体は、便座の内外周縁のどちらに取り付ける構造としてもよく、また、便座の側部や手前部に限らず、後側内周縁に取り付ける構造としてもよい。
さらに、いずれの実施形態も、便座取付部の構造として、第一実施形態やその変形例１、２のようにバネなしクリップ構造、あるいはバネクリップ構造としてもよい。さらにまた、第六実施形態については、支持腕部を短く設計して、第二、第三、第四実施形態のようにトイレ清掃具の柄を斜めに保持する構成としてもよい。
【図面の簡単な説明】
【００７０】
【図１】  本発明の第一実施形態に係るトイレ清掃具ホルダを備えたトイレ清掃具の全体斜視図である。
【図２】  トイレ清掃具ホルダの使用状態を示す斜視図である。
【図３】  トイレ清掃具ホルダの収納状態を示す斜視図である。
【図４】  第一実施形態の変形例１の斜視図である。
【図５】  第一実施形態の変形例１の便座取付部を示す拡大斜視図である。
【図６】  第一実施形態の変形例２を示す要部斜視図である。
【図７】  本発明の第二実施形態を示す全体斜視図である。
【図８】  図７に示すトイレ清掃具ホルダの使用状態を示し、（Ａ）は斜視図であり、（Ｂ）は説明図である。
【図９】  第二実施形態の変形例１を示す斜視図である。
【図１０】  本発明の第三実施形態に係るトイレ清掃具ホルダを示す斜視図である。
【図１１】  本発明の第四実施形態を示す全体斜視図である。
【図１２】  図１１に示すトイレ清掃具ホルダの使用状態を示し、（Ａ）は斜視図であり、（Ｂ）は説明図である。
【図１３】  第四実施形態の変形例１を示す斜視図である。
【図１４】  第四実施形態の変形例２を示す斜視図である。
【図１５】  本発明の第五実施形態を示す全体斜視図である。
【図１６】  図１５に示すトイレ清掃具ホルダを備えたトイレ清掃具を便座に取り付けた状態を示す説明図である。
【図１７】  本発明の第六実施形態を示す斜視図であり、（Ａ）はホルダ収納時の状態を示し、（Ｂ）はホルダを引き上げた状態を示す図である。
【図１８】  図１７に示すトイレ清掃具の柄の内部を示す部分説明図であり、（Ａ）はホルダ収納時の状態を示し、（Ｂ）はホルダを引き上げた状態を示す図である。
【図１９】  図１７に示すトイレ清掃具ホルダの使用状態を示し、（Ａ）は全体斜視図であり、（Ｂ）は要部拡大斜視図であり、（Ｃ）は要部拡大上面図である。
【図２０】  従来例の図である。
【図２１】  他の従来例の図である。
【符号の説明】
【００７１】  １０、３０、５０、７０、８０  トイレ清掃具
１２、３２、５２、７２、８２  柄
１３ｂ、１４、１６、３３、５３、５４  係止部
２０、４０、４０’、６０、９０  トイレ清掃具ホルダ
２１、２２、４１、６１、７４、９１  便座取付部
２３、４２、５５、６２、７５、９２  支持腕部
２４、２５、４３、４４、６３、６４、６５  被係止部
Ｂ１  便器
Ｂ２  便座
【図１】
2007021142.tif 000003
【図２】
2007021142.tif 000004
【図３】
2007021142.tif 000005
【図４】
2007021142.tif 000006
【図５】
2007021142.tif 000007
【図６】
2007021142.tif 000008
【図７】
2007021142.tif 000009
【図８】
2007021142.tif 000010
【図９】
2007021142.tif 000011
【図１０】
2007021142.tif 000012
【図１１】
2007021142.tif 000013
【図１３】
2007021142.tif 000014
【図１２】
2007021142.tif 000015
【図１４】
2007021142.tif 000016
【図１５】
2007021142.tif 000017
【図１６】
2007021142.tif 000018
【図１７】
2007021142.tif 000019
【図１８】
2007021142.tif 000020
【図１９】
2007021142.tif 000021
【図２０】
2007021142.tif 000022
【図２１】
2007021142.tif 000023